(57)【要約】【課題】リール１ａに巻回されたシートＳの繰り出しが終了してからリール１ｂに巻回されたシートＳの繰り出しが開始するまでの間に、リール１ｂに巻回されたシートＳの最外径部分１４ｂが緩むのを抑制する。【解決手段】リール１ａに巻回されたシートＳの最内径部分１３ａとリール１ｂに巻回されたシートＳの最外径部分１４ｂとが、フランジ１２ａの外周部を乗り越えて互いに接続されており、リール１ａ，１ｂに巻回されたシートＳが繰り出される時には、まず、リール１ａに巻回されたシートＳ、次いで、リール１ｂに巻回されたシートＳの順序でシートが連続的に繰り出される長尺シートの繰り出し装置に、押圧部材１５ｂを設け、リール１ｂに巻回されたシートＳの最外径部分１４ｂをリールの中心軸線側に押圧する。【選択図】        図３
2004307083.tif 000002
【特許請求の範囲】
【請求項１】
長尺シートが巻回された第１リールと、長尺シートが巻回された第２リールと、前記第１リールと前記第２リールとの間に配置されたフランジとを具備し、前記第１リールに巻回されたシートの最内径部分と前記第２リールに巻回されたシートの最外径部分とが、前記フランジの外周部を乗り越えて互いに接続されており、前記第１リールおよび前記第２リールに巻回されたシートが繰り出される時には、まず、前記第１リールに巻回されたシート、次いで、前記第２リールに巻回されたシートの順序でシートが連続的に繰り出されるように構成された長尺シートの繰り出し装置において、前記第２リールに巻回されたシートの最外径部分を第２リールの中心軸線側に押圧するための押圧部材を前記第２リールに取付けたことを特徴とする長尺シートの繰り出し装置。
【請求項２】
前記第２リールに巻回されたシートが繰り出され始める時に前記押圧部材が前記第２リールから外れることを特徴とする請求項１に記載の長尺シートの繰り出し装置。
【請求項３】
前記押圧部材をほぼＵ字形状に構成したことを特徴とする請求項１又は２に記載の長尺シートの繰り出し装置。
【請求項４】
ほぼＵ字形状の前記押圧部材の一端を前記第２リールに巻回されたシートの最外径部分の外周面上に配置し、その他端を前記第２リールに巻回されたシートの端面と前記フランジとの間に配置したことを特徴とする請求項３に記載の長尺シートの繰り出し装置。
【請求項５】
前記押圧部材が、スポンジ層、硬質樹脂層、軟質樹脂層の順に配列された３層構造であることを特徴とする請求項３又は４に記載の長尺シート繰り出し装置。
【請求項６】
前記押圧部材が、スポンジ層、樹脂層、スポンジ層の順に配列された３層構造であることを特徴とする請求項３又は４に記載の長尺シート繰り出し装置。
【請求項７】
長尺シートが巻回された第１リールと、長尺シートが巻回された第２リールと、前記第１リールと前記第２リールとの間に配置されたフランジとを具備し、前記第１リールに巻回されたシートの最内径部分と前記第２リールに巻回されたシートの最外径部分とが、前記フランジの外周部を乗り越えて互いに接続されており、前記第１リールおよび前記第２リールに巻回されたシートが繰り出される時には、まず、前記第１リールに巻回されたシート、次いで、前記第２リールに巻回されたシートの順序でシートが連続的に繰り出されるように構成された長尺シートの繰り出し装置に用いられる押圧部材において、前記第２リールに巻回されたシートの最外径部分を第２リールの中心軸線側に押圧するために、前記第２リールに取付けられることを特徴とする長尺シートの繰り出し装置に用いられる押圧部材。
【請求項８】
前記第２リールに巻回されたシートが繰り出され始める時に前記第２リールから外れることを特徴とする請求項７に記載の長尺シートの繰り出し装置に用いられる押圧部材。
【請求項９】
ほぼＵ字形状に構成されていることを特徴とする請求項７又は８に記載の長尺シートの繰り出し装置に用いられる押圧部材。
【請求項１０】
前記第２リールに巻回されたシートの最外径部分の外周面上に一端が配置され、前記第２リールに巻回されたシートの端面と前記フランジとの間に他端が配置されることを特徴とする請求項９に記載の長尺シートの繰り出し装置に用いられる押圧部材。
【請求項１１】
スポンジ層、硬質樹脂層、軟質樹脂層の順に配列された３層構造であることを特徴とする請求項９又は１０に記載の長尺シート繰り出し装置に用いられる押圧部材。
【請求項１２】
スポンジ層、樹脂層、スポンジ層の順に配列された３層構造であることを特徴とする請求項９又は１０に記載の長尺シート繰り出し装置に用いられる押圧部材。
【発明の詳細な説明】
【０００１】
【発明が属する技術分野】
本発明は、長尺シートが巻回された第１リールと、長尺シートが巻回された第２リールと、第１リールと第２リールとの間に配置されたフランジとを具備する長尺シート繰り出し装置およびそれに用いられる押圧部材に関し、特には、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのに伴って、第２リールから逸脱したり、フランジなどと擦れたりしてしまうのを抑制することができる長尺シートの繰り出し装置およびそれに用いられる押圧部材に関する。
【０００２】
【従来の技術】
従来、長尺シートが巻回された第１リールと、長尺シートが巻回された第２リールと、第１リールと第２リールとの間に配置されたフランジとを具備し、第１リールに巻回されたシートの最内径部分と第２リールに巻回されたシートの最外径部分とが、フランジの外周部を乗り越えて互いに接続されており、第１リールおよび第２リールに巻回されたシートが繰り出される時には、まず、第１リールに巻回されたシート、次いで、第２リールに巻回されたシートの順序でシートが連続的に繰り出されるように構成された長尺シートの繰り出し装置が知られている。この種の長尺シートの繰り出し装置の例としては、例えば特開２０００−８６０２５号公報に記載されたものがある。
【０００３】
特開２０００−８６０２５号公報に記載された長尺シートの繰り出し装置では、フランジの外周部を乗り越えて互いに接続されているシートを掛止めするためのストッパ部材がフランジに設けられている。つまり、フランジの外周部を乗り越えて互いに接続されているシートが、テンションをかけられた状態でストッパ部材に掛止めされている。それにより、第１リールに巻回されたシートが繰り出されている時に、第２リールに巻回されたシートが緩んでしまうのが抑制されている。
【０００４】
ところが、特開２０００−８６０２５号公報に記載された長尺シートの繰り出し装置では、上述したように、第１リールに巻回されたシートが繰り出されている時、つまり、第１リールに巻回されたシートの繰り出しが終了するまでは、第２リールに巻回されたシートが緩んでしまうのを抑制することができるものの、第１リールに巻回されたシートの繰り出しが終了すると、フランジの外周部を乗り越えて互いに接続されているシートのテンションが低下してしまう。つまり、ストッパ部材が機能しなくなってしまう。その結果、フランジの外周部を乗り越えて互いに接続されているシートが緩んでしまうのみならず、それに隣接している部分、つまり、第２リールに巻回されたシートの最外径部分も緩んでしまう。それにより、第２リールに巻回されたシートの最外径部分が、第２リールから逸脱したり、フランジなどと擦れたりしてしまう。
【０００５】
すなわち、特開２０００−８６０２５号公報に記載された長尺シートの繰り出し装置によっては、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのを抑制することができない。それゆえ、第２リールに巻回されたシートの最外径部分が緩むのに伴って、第２リールから逸脱したり、フランジなどと擦れたりしてしまうのを抑制することができない。
【０００６】
第２リールに巻回されたシートの最外径部分が緩んで第２リールから逸脱してしまうと、第２リールに巻回されたシートを繰り出し続けるのが困難になるおそれが生じてしまう。また、第２リールに巻回されたシートの最外径部分が緩んでフランジなどと擦れてしまうと、その部分に再びテンションがかかった時に、その部分が切断するおそれが生じてしまう。
【０００７】
【特許文献１】
特開２０００−８６０２５号公報
【０００８】
【発明が解決しようとする課題】
前記問題点に鑑み、本発明は、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのに伴って、第２リールから逸脱したり、フランジなどと擦れたりしてしまうのを抑制することができる長尺シートの繰り出し装置およびそれに用いられる押圧部材を提供することを目的とする。
【０００９】
【課題を解決するための手段】
請求項１に記載の発明によれば、長尺シートが巻回された第１リールと、長尺シートが巻回された第２リールと、前記第１リールと前記第２リールとの間に配置されたフランジとを具備し、前記第１リールに巻回されたシートの最内径部分と前記第２リールに巻回されたシートの最外径部分とが、前記フランジの外周部を乗り越えて互いに接続されており、前記第１リールおよび前記第２リールに巻回されたシートが繰り出される時には、まず、前記第１リールに巻回されたシート、次いで、前記第２リールに巻回されたシートの順序でシートが連続的に繰り出されるように構成された長尺シートの繰り出し装置において、前記第２リールに巻回されたシートの最外径部分を第２リールの中心軸線側に押圧するための押圧部材を前記第２リールに取付けたことを特徴とする長尺シートの繰り出し装置が提供される。
【００１０】
請求項１に記載の長尺シートの繰り出し装置では、第２リールに巻回されたシートの最外径部分を第２リールの中心軸線側に押圧するための押圧部材が、第２リールに取付けられている。そのため、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのを抑制することができる。それゆえ、第２リールに巻回されたシートの最外径部分が緩むのに伴って、第２リールから逸脱したり、フランジなどと擦れたりしてしまうのを抑制することができる。
【００１１】
請求項２に記載の発明によれば、前記第２リールに巻回されたシートが繰り出され始める時に前記押圧部材が前記第２リールから外れることを特徴とする請求項１に記載の長尺シートの繰り出し装置が提供される。
【００１２】
第２リールに巻回されたシートを繰り出すべき時に、第２リールに巻回されたシートの最外径部分が、押圧部材によって第２リールの中心軸線側に押圧され続けていると、第２リールに巻回されたシートの繰り出しが押圧部材によって妨げられてしまう点に鑑み、請求項２に記載の長尺シートの繰り出し装置は、第２リールに巻回されたシートが繰り出され始める時に押圧部材が第２リールから外れるように構成されている。つまり、請求項２に記載の長尺シートの繰り出し装置では、第２リールに巻回されたシートが繰り出され始めるまでは、第２リールに巻回されたシートの最外径部分が押圧部材によって第２リールの中心軸線側に押圧されており、次いで、第２リールに巻回されたシートが繰り出され始める時には、押圧部材が第２リールから外れるようになっている。詳細には、第２リールに巻回されたシートが繰り出され始める時に、第２リールに巻回されたシートの最外径部分から押圧部材に対して径方向外向きの力がかかることにより、押圧部材が第２リールから外れるようになっている。そのため、第２リールに巻回されたシートの繰り出しが開始するまでは、第２リールに巻回されたシートの最外径部分が緩むのを抑制しつつ、第２リールに巻回されたシートの繰り出しが開始した以降は、第２リールに巻回されたシートの繰り出しが押圧部材によって妨げられるのを回避することができる。
【００１３】
請求項３に記載の発明によれば、前記押圧部材をほぼＵ字形状に構成したことを特徴とする請求項１又は２に記載の長尺シートの繰り出し装置が提供される。
【００１４】
請求項３に記載の長尺シートの繰り出し装置では、押圧部材がほぼＵ字形状に構成されている。つまり、押圧部材が比較的簡単な構成とされている。そのため、第２リールに巻回されたシートの繰り出しの開始前に第２リールに巻回されたシートの最外径部分が緩んでしまうのを、比較的安価な手段によって抑制することができる。
【００１５】
請求項４に記載の発明によれば、ほぼＵ字形状の前記押圧部材の一端を前記第２リールに巻回されたシートの最外径部分の外周面上に配置し、その他端を前記第２リールに巻回されたシートの端面と前記フランジとの間に配置したことを特徴とする請求項３に記載の長尺シートの繰り出し装置が提供される。
【００１６】
請求項４に記載の長尺シートの繰り出し装置では、ほぼＵ字形状の押圧部材の一端を第２リールに巻回されたシートの最外径部分の外周面上に配置し、その他端を第２リールに巻回されたシートの端面とフランジとの間に配置することにより、押圧部材が第２リールに取付けられる。つまり、比較的簡単な作業により、押圧部材が第２リールに取付けられる。そのため、第２リールに巻回されたシートの繰り出しの開始前に第２リールに巻回されたシートの最外径部分が緩んでしまうのを、比較的簡単な作業によって抑制することができる。
【００１７】
請求項５に記載の発明によれば、前記押圧部材が、スポンジ層、硬質樹脂層、軟質樹脂層の順に配列された３層構造であることを特徴とする請求項３又は４に記載の長尺シート繰り出し装置が提供される。
【００１８】
請求項６に記載の発明によれば、前記押圧部材が、スポンジ層、樹脂層、スポンジ層の順に配列された３層構造であることを特徴とする請求項３又は４に記載の長尺シート繰り出し装置が提供される。
【００１９】
押圧部材には、第２リールに巻回されたシートの繰り出しが開始するまでは第２リールから外れず、かつ、第２リールに巻回されたシートの繰り出しが開始した以降は第２リールから迅速に外れることが要求される点に鑑み、請求項５及び６に記載の長尺シートの繰り出し装置では、押圧部材が、スポンジ層、硬質樹脂層、軟質樹脂層の順に配列された３層構造により構成されている。あるいは、押圧部材が、スポンジ層、樹脂層、スポンジ層の順に配列された３層構造により構成されている。そのため、他の構造により構成された押圧部材とは異なり、第２リールに巻回されたシートの繰り出しが開始するまでは第２リールから外れず、かつ、第２リールに巻回されたシートの繰り出しが開始した以降は第２リールから迅速に外れるという要求を満足することができる。
【００２０】
請求項７に記載の発明によれば、長尺シートが巻回された第１リールと、長尺シートが巻回された第２リールと、前記第１リールと前記第２リールとの間に配置されたフランジとを具備し、前記第１リールに巻回されたシートの最内径部分と前記第２リールに巻回されたシートの最外径部分とが、前記フランジの外周部を乗り越えて互いに接続されており、前記第１リールおよび前記第２リールに巻回されたシートが繰り出される時には、まず、前記第１リールに巻回されたシート、次いで、前記第２リールに巻回されたシートの順序でシートが連続的に繰り出されるように構成された長尺シートの繰り出し装置に用いられる押圧部材において、前記第２リールに巻回されたシートの最外径部分を第２リールの中心軸線側に押圧するために、前記第２リールに取付けられることを特徴とする長尺シートの繰り出し装置に用いられる押圧部材が提供される。
【００２１】
請求項７に記載の長尺シートの繰り出し装置に用いられる押圧部材は、第２リールに巻回されたシートの最外径部分を第２リールの中心軸線側に押圧するために、第２リールに取付けられる。そのため、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのを抑制することができる。それゆえ、第２リールに巻回されたシートの最外径部分が緩むのに伴って、第２リールから逸脱したり、フランジなどと擦れたりしてしまうのを抑制することができる。
【００２２】
請求項８に記載の発明によれば、前記第２リールに巻回されたシートが繰り出され始める時に前記第２リールから外れることを特徴とする請求項７に記載の長尺シートの繰り出し装置に用いられる押圧部材が提供される。
【００２３】
第２リールに巻回されたシートを繰り出すべき時に、第２リールに巻回されたシートの最外径部分が、押圧部材によって第２リールの中心軸線側に押圧され続けていると、第２リールに巻回されたシートの繰り出しが押圧部材によって妨げられてしまう点に鑑み、請求項８に記載の長尺シートの繰り出し装置に用いられる押圧部材は、第２リールに巻回されたシートが繰り出され始める時に第２リールから外れるように構成されている。つまり、請求項８に記載の長尺シートの繰り出し装置に用いられる押圧部材は、第２リールに巻回されたシートが繰り出され始めるまで、第２リールに巻回されたシートの最外径部分を第２リールの中心軸線側に押圧しており、次いで、第２リールに巻回されたシートが繰り出され始める時に、第２リールから外れるようになっている。詳細には、第２リールに巻回されたシートが繰り出され始める時に、第２リールに巻回されたシートの最外径部分から径方向外向きの力がかかることにより、第２リールから外れるようになっている。そのため、第２リールに巻回されたシートの繰り出しが開始するまでは、第２リールに巻回されたシートの最外径部分が緩むのを抑制しつつ、第２リールに巻回されたシートの繰り出しが開始した以降は、第２リールに巻回されたシートの繰り出しが妨げられるのを回避することができる。
【００２４】
請求項９に記載の発明によれば、ほぼＵ字形状に構成されていることを特徴とする請求項７又は８に記載の長尺シートの繰り出し装置に用いられる押圧部材が提供される。
【００２５】
請求項９に記載の長尺シートの繰り出し装置に用いられる押圧部材は、ほぼＵ字形状に構成されている。つまり、比較的簡単な構成とされている。そのため、第２リールに巻回されたシートの繰り出しの開始前に第２リールに巻回されたシートの最外径部分が緩んでしまうのを、比較的安価な手段によって抑制することができる。
【００２６】
請求項１０に記載の発明によれば、前記第２リールに巻回されたシートの最外径部分の外周面上に一端が配置され、前記第２リールに巻回されたシートの端面と前記フランジとの間に他端が配置されることを特徴とする請求項９に記載の長尺シートの繰り出し装置に用いられる押圧部材が提供される。
【００２７】
請求項１０に記載の長尺シートの繰り出し装置に用いられる押圧部材は、第２リールに巻回されたシートの最外径部分の外周面上に一端が配置され、第２リールに巻回されたシートの端面とフランジとの間に他端が配置されることにより、第２リールに取付けられる。つまり、比較的簡単な作業により、第２リールに取付けられる。そのため、第２リールに巻回されたシートの繰り出しの開始前に第２リールに巻回されたシートの最外径部分が緩んでしまうのを、比較的簡単な作業によって抑制することができる。
【００２８】
請求項１１に記載の発明によれば、スポンジ層、硬質樹脂層、軟質樹脂層の順に配列された３層構造であることを特徴とする請求項９又は１０に記載の長尺シート繰り出し装置に用いられる押圧部材が提供される。
【００２９】
請求項１２に記載の発明によれば、スポンジ層、樹脂層、スポンジ層の順に配列された３層構造であることを特徴とする請求項９又は１０に記載の長尺シート繰り出し装置に用いられる押圧部材が提供される。
【００３０】
押圧部材には、第２リールに巻回されたシートの繰り出しが開始するまでは第２リールから外れず、かつ、第２リールに巻回されたシートの繰り出しが開始した以降は第２リールから迅速に外れることが要求される点に鑑み、請求項１１及び１２に記載の長尺シートの繰り出し装置に用いられる押圧部材は、スポンジ層、硬質樹脂層、軟質樹脂層の順に配列された３層構造により構成されている。あるいは、スポンジ層、樹脂層、スポンジ層の順に配列された３層構造により構成されている。そのため、他の構造により構成された押圧部材とは異なり、第２リールに巻回されたシートの繰り出しが開始するまでは第２リールから外れず、かつ、第２リールに巻回されたシートの繰り出しが開始した以降は第２リールから迅速に外れるという要求を満足することができる。
【００３１】
【発明の実施の形態】
以下、添付図面を用いて本発明の実施形態について説明する。
【００３２】
図１は本発明の長尺シートの繰り出し装置を適用した第１の実施形態の概略構成図である。図１において、１００は、長尺シートＳが巻回された複数のリールを多段に積み重ねることにより構成されたリール群である。１０１は、リール群１００に巻回された長尺シートＳを繰り出すための繰り出しローラ対である。１０２は繰り出しローラ対１０１を駆動するためのモータ、１０３は繰り出された長尺シートＳをカットシートＣＳに切断するためのカッターである。１０４はテンショナー、１０５は図１中の矢印の向きにリール群１００を付勢するためのモータである。
【００３３】
第１の実施形態の長尺シートの繰り出し装置において、カットシートＣＳは、例えばペットボトル（図示せず）に装着される例えばシュリンクラベルのような筒状ラベルである。また、長尺シートＳは、その筒状ラベルが平面状になるように折り畳まれた状態で繋がっているものである。
【００３４】
図１に示すように、第１の実施形態の長尺シートの繰り出し装置では、ほぼ一定の速度で供給されるペットボトル（図示せず）に対し、カットシートＣＳが、ペットボトルの供給速度と等しい速度で供給される。カットシートＣＳをほぼ一定の速度で供給するために、長尺シートＳは、繰り出しローラ対１０１によってほぼ一定の速度でリール群１００のリールから繰り出される。従って、リール群１００は、長尺シートＳが繰り出されているリールの径が比較的大きい時には比較的低速で回転せしめられ、一方、長尺シートＳが繰り出されているリールの径が比較的小さい時には比較的高速で回転せしめられる。リール群１００の回転速度、つまり、モータ１０５の回転速度を適切に制御するために、長尺シートＳのテンションが監視される。詳細には、図１中の矢印方向に移動可能なテンショナー１０４の位置に基づいて、モータ１０５の回転速度がフィードバック制御される。
【００３５】
図２は図１に示したリール群を構成する複数のリールのうちの１個を示した斜視図である。詳細には、図２は長尺シートＳが巻回されていない状態における１個のリール１ａの斜視図である。図２において、１１ａはリール１ａの一部を構成しているコア部分、１２ａはフランジである。
【００３６】
図３は図１に示したリール群の斜視図である。図３において、１ｂ，１ｃ，１ｄ，１ｅ，１ｆは図２に示したリール１ａと同様に構成されたリールである。１２ｂ，１２ｃ，１２ｄ，１２ｅ，１２ｆは図２に示したフランジ１２ａと同様に構成されたフランジである。１５ｂ，１５ｃ，１５ｄ，１５ｅ，１５ｆは、それぞれリール１ｂ，１ｃ，１ｄ，１ｅ，１ｆに巻回された長尺シートＳをリールの中心軸線側に押圧するための押圧部材である。
【００３７】
図３に示すように、第１の実施形態の長尺シートの繰り出し装置では、長尺シートＳが巻回されたリール１ａ，１ｂ，１ｃ，１ｄ，１ｅ，１ｆが例えば６段積み重ねられ、個々のリール１ａ，１ｂ，１ｃ，１ｄ，１ｅ，１ｆに巻回された長尺シートＳが互いに接続されている。
【００３８】
図４は図３に示したリール群の上視図、図５は図３に示したリール１ｂの縦断面図である。図６は図３に示したリール群を図４及び図５に示したＡ−Ａ線で切断した横断面図、図７は図３に示したリール群を図５に示したＢ−Ｂ線で切断した横断面図である。
【００３９】
図４〜図７において、１１ｂ，１１ｃ，１１ｄ，１１ｅ，１１ｆは、図２に示したコア部分１１ａと同様に構成されたコア部分である。１３ａ，１３ｂ，１３ｃ，１３ｄ，１３ｅ，１３ｆは、それぞれリール１ａ，１ｂ，１ｃ，１ｄ，１ｅ，１ｆに巻回された長尺シートＳの最内径部分である。１４ｂ，１４ｃ，１４ｄ，１４ｅ，１４ｆは、それぞれリール１ｂ，１ｃ，１ｄ，１ｅ，１ｆに巻回された長尺シートＳの最外径部分である。
【００４０】
図３〜図６に示すように、第１の実施形態の長尺シートの繰り出し装置では、リール１ａに巻回された長尺シートＳの最内径部分１３ａと、リール１ｂに巻回された長尺シートＳの最外径部分１４ｂとが、フランジ１２ａを乗り越えて互いに接続されている。更に、リール１ｂに巻回された長尺シートＳの最内径部分１３ｂと、リール１ｃに巻回された長尺シートＳの最外径部分１４ｃとが、フランジ１２ｂを乗り越えて互いに接続されている。更に、リール１ｃに巻回された長尺シートＳの最内径部分１３ｃと、リール１ｄに巻回された長尺シートＳの最外径部分１４ｄとが、フランジ１２ｃを乗り越えて互いに接続されている。更に、リール１ｄに巻回された長尺シートＳの最内径部分１３ｄと、リール１ｅに巻回された長尺シートＳの最外径部分１４ｅとが、フランジ１２ｄを乗り越えて互いに接続されている。更に、リール１ｅに巻回された長尺シートＳの最内径部分１３ｅと、リール１ｆに巻回された長尺シートＳの最外径部分１４ｆとが、フランジ１２ｅを乗り越えて互いに接続されている。つまり、リール１ａ，１ｂ，１ｃ，１ｄ，１ｅ，１ｆにそれぞれ巻回された長尺シートＳが互いに接続されて１本の長尺シートＳを構成している。
【００４１】
リール１ａ，１ｂ，１ｃ，１ｄ，１ｅ，１ｆに巻回された長尺シートＳが繰り出される時には、まず、リール１ａに巻回された長尺シートＳが繰り出され、次いで、リール１ｂに巻回された長尺シートＳが繰り出され、次いで、リール１ｃに巻回された長尺シートＳが繰り出され、次いで、リール１ｄに巻回された長尺シートＳが繰り出され、次いで、リール１ｅに巻回された長尺シートＳが繰り出され、最後に、リール１ｆに巻回された長尺シートＳが繰り出される。
【００４２】
図３、図５及び図７に示すように、第１の実施形態の長尺シートの繰り出し装置では、リール１ｂに巻回された長尺シートＳの最外径部分１４ｂをリールの中心軸線（図示せず）側に押圧するための押圧部材１５ｂが、リール１ｂに取付けられている。同様に、リール１ｃに巻回された長尺シートＳの最外径部分１４ｃをリールの中心軸線側に押圧するための押圧部材１５ｃがリール１ｃに取付けられ、リール１ｄに巻回された長尺シートＳの最外径部分１４ｄをリールの中心軸線側に押圧するための押圧部材１５ｄがリール１ｄに取付けられ、リール１ｅに巻回された長尺シートＳの最外径部分１４ｅをリールの中心軸線側に押圧するための押圧部材１５ｅがリール１ｅに取付けられ、リール１ｆに巻回された長尺シートＳの最外径部分１４ｆをリールの中心軸線側に押圧するための押圧部材１５ｆがリール１ｆに取付けられている。
【００４３】
図８は図３、図５及び図７に示した押圧部材１５ｂの斜視図、図９は図８に示した押圧部材１５ｂの側面図である。図８及び図９において、１８ｂは押圧部材１５ｂの一部を構成するスポンジ層、１９ｂは押圧部材１５ｂの一部を構成する硬質樹脂層、２０ｂは押圧部材１５ｂの一部を構成する軟質樹脂層である。図８及び図９に示すように、第１の実施形態の長尺シートの繰り出し装置では、押圧部材１５ｂがほぼＵ字形状に構成されている。また、押圧部材１５ｂが、そのＵ字形状の外側からスポンジ層１８ｂ、硬質樹脂層１９ｂ、軟質樹脂層２０ｂの順に配列された３層構造により構成されている。詳細には、図示しないが、押圧部材１５ｃ，１５ｄ，１５ｅ，１５ｆも、押圧部材１５ｂと同様に、ほぼＵ字形状に構成され、そのＵ字形状の外側からスポンジ層、硬質樹脂層、軟質樹脂層の順に配列された３層構造により構成されている。
【００４４】
詳細には、図７に示すように、第１の実施形態の長尺シートの繰り出し装置では、押圧部材１５ｂの一端が、リール１ｂに巻回された長尺シートＳの最外径部分１４ｂの外周面上に配置され、その他端が、リール１ｂに巻回された長尺シートＳの端面とフランジ１２ａとの間に配置されている。更に、押圧部材１５ｃの一端が、リール１ｃに巻回された長尺シートＳの最外径部分１４ｃの外周面上に配置され、その他端が、リール１ｃに巻回された長尺シートＳの端面とフランジ１２ｂとの間に配置されている。更に、押圧部材１５ｄの一端が、リール１ｄに巻回された長尺シートＳの最外径部分１４ｄの外周面上に配置され、その他端が、リール１ｄに巻回された長尺シートＳの端面とフランジ１２ｃとの間に配置されている。更に、押圧部材１５ｅの一端が、リール１ｅに巻回された長尺シートＳの最外径部分１４ｅの外周面上に配置され、その他端が、リール１ｅに巻回された長尺シートＳの端面とフランジ１２ｄとの間に配置されている。更に、押圧部材１５ｆの一端が、リール１ｆに巻回された長尺シートＳの最外径部分１４ｆの外周面上に配置され、その他端が、リール１ｆに巻回された長尺シートＳの端面とフランジ１２ｅとの間に配置されている。
【００４５】
図３及び図７に示すように、第１の実施形態の長尺シートの繰り出し装置では、リール１ａに巻回された長尺シートＳが繰り出されている時に、押圧部材１５ｂにより、リール１ｂに巻回された長尺シートＳの最外径部分１４ｂがリールの中心軸線側に押圧されている。詳細には、押圧部材１５ｂ，１５ｃ，１５ｄ，１５ｅ，１５ｆにより、それぞれ、リール１ｂ，１ｃ，１ｄ，１ｅ，１ｆに巻回された長尺シートＳの最外径部分１４ｂ，１４ｃ，１４ｄ，１４ｅ，１４ｆがリールの中心軸線側に押圧されている。そのため、リール１ａに巻回された長尺シートＳが繰り出されている時に、リール１ｂ，１ｃ，１ｄ，１ｅ，１ｆに巻回された長尺シートＳの最外径部分１４ｂ，１４ｃ，１４ｄ，１４ｅ，１４ｆが緩んでしまうのが抑制される。
【００４６】
次いで、リール１ａに巻回された長尺シートＳの繰り出しが終了してからリール１ｂに巻回された長尺シートＳの繰り出しが開始するまでの間、つまり、フランジ１２ａの外周部を乗り越えて互いに接続されているシートＪＳ（図６及び図７参照）が繰り出されている時においても、押圧部材１５ｂにより、リール１ｂに巻回された長尺シートＳの最外径部分１４ｂがリールの中心軸線側に押圧されている。詳細には、押圧部材１５ｂ，１５ｃ，１５ｄ，１５ｅ，１５ｆにより、それぞれ、リール１ｂ，１ｃ，１ｄ，１ｅ，１ｆに巻回された長尺シートＳの最外径部分１４ｂ，１４ｃ，１４ｄ，１４ｅ，１４ｆがリールの中心軸線側に押圧されている。そのため、フランジ１２ａの外周部を乗り越えて互いに接続されているシートＪＳが繰り出されている時においても、リール１ｂ，１ｃ，１ｄ，１ｅ，１ｆに巻回された長尺シートＳの最外径部分１４ｂ，１４ｃ，１４ｄ，１４ｅ，１４ｆが緩んでしまうのが抑制される。
【００４７】
第１の実施形態の長尺シートの繰り出し装置では、次いで、リール１ｂに巻回された長尺シートＳが繰り出され始める時に、押圧部材１５ｂがリール１ｂから外れるように、押圧部材１５ｂが構成されている。
【００４８】
図１０はリール１ｂに巻回された長尺シートＳが繰り出され始める時におけるリール１ｂの上視図である。図１０に示すように、第１の実施形態の長尺シートの繰り出し装置では、リール１ｂに巻回された長尺シートＳが繰り出しローラ対１０１（図１参照）により繰り出され始めると、図１０中に矢印で示すようにリール１ｂが回転し、押圧部材１５ｂが、１５ｂ’の位置から１５ｂ”の位置に移動する。１５ｂ’の位置において、押圧部材１５ｂは、テンションがかかっている長尺シートＳ’から径方向外向きの力を受ける。その結果、押圧部材１５ｂは、図１０中に矢印で示すようにリール１ｂから外れる。つまり、押圧部材１５ｂは、１５ｂ”の位置から１５ｂの位置に移動する。
【００４９】
すなわち、図１０に示すように、第１の実施形態の長尺シートの繰り出し装置では、リール１ｂに巻回された長尺シートＳが繰り出され始める時に、リール１ｂに巻回された長尺シートＳの最外径部分１４ｂから押圧部材１５ｂ（１５ｂ”）に対して径方向外向きの力がかかることにより、押圧部材１５ｂがリール１ｂから外れるようになっている。そのため、リール１ｂに巻回された長尺シートＳの繰り出しが開始するまでは、リール１ｂに巻回された長尺シートＳの最外径部分１４ｂが緩むのが抑制されつつ、リール１ｂに巻回された長尺シートＳの繰り出しが開始した以降は、リール１ｂに巻回された長尺シートＳの繰り出しが押圧部材１５ｂによって妨げられるのが回避される。
【００５０】
第１の実施形態の長尺シートの繰り出し装置では、次いで、リール１ｃに巻回された長尺シートＳが繰り出され始める時に、リール１ｃに巻回された長尺シートＳの最外径部分１４ｃから押圧部材１５ｃに対して径方向外向きの力がかかることにより、押圧部材１５ｃがリール１ｃから外れる。そのため、リール１ｃに巻回された長尺シートＳの繰り出しが開始するまでは、リール１ｃに巻回された長尺シートＳの最外径部分１４ｃが緩むのが抑制されつつ、リール１ｃに巻回された長尺シートＳの繰り出しが開始した以降は、リール１ｃに巻回された長尺シートＳの繰り出しが押圧部材１５ｃによって妨げられるのが回避される。
【００５１】
同様に、次いで、リール１ｄに巻回された長尺シートＳが繰り出され始める時に、リール１ｄに巻回された長尺シートＳの最外径部分１４ｄから押圧部材１５ｄに対して径方向外向きの力がかかることにより、押圧部材１５ｄがリール１ｄから外れる。そのため、リール１ｄに巻回された長尺シートＳの繰り出しが開始するまでは、リール１ｄに巻回された長尺シートＳの最外径部分１４ｄが緩むのが抑制されつつ、リール１ｄに巻回された長尺シートＳの繰り出しが開始した以降は、リール１ｄに巻回された長尺シートＳの繰り出しが押圧部材１５ｄによって妨げられるのが回避される。
【００５２】
同様に、次いで、リール１ｅに巻回された長尺シートＳが繰り出され始める時に、リール１ｅに巻回された長尺シートＳの最外径部分１４ｅから押圧部材１５ｅに対して径方向外向きの力がかかることにより、押圧部材１５ｅがリール１ｅから外れる。そのため、リール１ｅに巻回された長尺シートＳの繰り出しが開始するまでは、リール１ｅに巻回された長尺シートＳの最外径部分１４ｅが緩むのが抑制されつつ、リール１ｅに巻回された長尺シートＳの繰り出しが開始した以降は、リール１ｅに巻回された長尺シートＳの繰り出しが押圧部材１５ｅによって妨げられるのが回避される。
【００５３】
同様に、次いで、リール１ｆに巻回された長尺シートＳが繰り出され始める時に、リール１ｆに巻回された長尺シートＳの最外径部分１４ｆから押圧部材１５ｆに対して径方向外向きの力がかかることにより、押圧部材１５ｆがリール１ｆから外れる。そのため、リール１ｆに巻回された長尺シートＳの繰り出しが開始するまでは、リール１ｆに巻回された長尺シートＳの最外径部分１４ｆが緩むのが抑制されつつ、リール１ｆに巻回された長尺シートＳの繰り出しが開始した以降は、リール１ｆに巻回された長尺シートＳの繰り出しが押圧部材１５ｆによって妨げられるのが回避される。
【００５４】
第１の実施形態の長尺シートの繰り出し装置によれば、図３〜図７に示したように、リール１ｂに巻回された長尺シートＳの最外径部分１４ｂをリールの中心軸線側に押圧するための押圧部材１５ｂが、リール１ｂに取付けられている。そのため、リール１ａに巻回された長尺シートＳの繰り出しが終了してからリール１ｂに巻回された長尺シートＳの繰り出しが開始するまでの間、つまり、フランジ１２ａの外周部を乗り越えて互いに接続されているシートＪＳが繰り出されている時に、リール１ｂに巻回された長尺シートＳの最外径部分１４ｂが緩むのを抑制することができる。それゆえ、リール１ｂに巻回された長尺シートＳの最外径部分１４ｂが緩むのに伴って、リール１ｂから逸脱したり、フランジ１２ｂなどと擦れたりしてしまうのを抑制することができる。
【００５５】
また、第１の実施形態の長尺シートの繰り出し装置では、押圧部材１５ｂと同様に構成された押圧部材１５ｃ，１５ｄ，１５ｅ，１５ｆが取付けられているため、フランジ１２ｂ，１２ｃ，１２ｄ，１２ｅの外周部を乗り越えて互いに接続されているシートＪＳが繰り出されている時に、リール１ｃ，１ｄ，１ｅ，１ｆに巻回された長尺シートＳの最外径部分１４ｂ，１４ｃ，１４ｄ，１４ｅ，１４ｆが緩むのを抑制することができる。
【００５６】
更に、第１の実施形態の長尺シートの繰り出し装置によれば、図１０に示したように、リール１ｂに巻回された長尺シートＳが繰り出され始める時に、押圧部材１５ｂがリール１ｂから外れるように構成されている。つまり、リール１ｂに巻回された長尺シートＳが繰り出され始めるまでは、リール１ｂに巻回された長尺シートＳの最外径部分１４ｂが押圧部材１５ｂによってリールの中心軸線側に押圧されており、次いで、リール１ｂに巻回された長尺シートＳが繰り出され始める時には、押圧部材１５ｂがリール１ｂから外れるようになっている。詳細には、リール１ｂに巻回された長尺シートＳが繰り出され始める時に、リール１ｂに巻回された長尺シートＳの最外径部分１４ｂから押圧部材１５ｂに対して径方向外向きの力がかかることにより、押圧部材１５ｂがリール１ｂから外れるようになっている。そのため、リール１ｂに巻回された長尺シートＳの繰り出しが開始するまでは、リール１ｂに巻回された長尺シートＳの最外径部分１４ｂが緩むのを抑制しつつ、リール１ｂに巻回された長尺シートＳの繰り出しが開始した以降は、リール１ｂに巻回された長尺シートＳの繰り出しが押圧部材１５ｂによって妨げられるのを回避することができる。
【００５７】
また、第１の実施形態の長尺シートの繰り出し装置では、上述したように、押圧部材１５ｂと同様に構成された押圧部材１５ｃ，１５ｄ，１５ｅ，１５ｆが、リール１ｃ，１ｄ，１ｅ，１ｆに巻回された長尺シートＳが繰り出され始める時に、リール１ｃ，１ｄ，１ｅ，１ｆから外れるように構成されている。そのため、それぞれ、リール１ｃ，１ｄ，１ｅ，１ｆに巻回された長尺シートＳの繰り出しが開始するまでは、リール１ｃ，１ｄ，１ｅ，１ｆに巻回された長尺シートＳの最外径部分１４ｃ，１４ｄ，１４ｅ，１４ｆが緩むのを抑制しつつ、リール１ｃ，１ｄ，１ｅ，１ｆに巻回された長尺シートＳの繰り出しが開始した以降は、リール１ｃ，１ｄ，１ｅ，１ｆに巻回された長尺シートＳの繰り出しが押圧部材１５ｃ，１５ｄ，１５ｅ，１５ｆによって妨げられるのを回避することができる。
【００５８】
更に、第１の実施形態の長尺シートの繰り出し装置によれば、図７〜図９に示したように、押圧部材１５ｂ，１５ｃ，１５ｄ，１５ｅ，１５ｆがほぼＵ字形状に構成されている。つまり、押圧部材１５ｂ，１５ｃ，１５ｄ，１５ｅ，１５ｆが比較的簡単な構成とされている。そのため、リール１ｂ，１ｃ，１ｄ，１ｅ，１ｆに巻回された長尺シートＳの繰り出しの開始前にそのリール１ｂ，１ｃ，１ｄ，１ｅ，１ｆに巻回された長尺シートＳの最外径部分１４ｂ，１４ｃ，１４ｄ，１４ｅ，１４ｆが緩んでしまうのを、比較的安価な手段によって抑制することができる。
【００５９】
また、第１の実施形態の長尺シートの繰り出し装置によれば、図７に示したように、押圧部材１５ｂ，１５ｃ，１５ｄ，１５ｅ，１５ｆの一端をリール１ｂ，１ｃ，１ｄ，１ｅ，１ｆに巻回された長尺シートＳの最外径部分１４ｂ，１４ｃ，１４ｄ，１４ｅ，１４ｆの外周面上に配置し、その他端をリール１ｂ，１ｃ，１ｄ，１ｅ，１ｆに巻回された長尺シートＳの端面とフランジ１２ａ，１２ｂ，１２ｃ，１２ｄ，１２ｅとの間に配置することにより、押圧部材１５ｂ，１５ｃ，１５ｄ，１５ｅ，１５ｆがリール１ｂ，１ｃ，１ｄ，１ｅ，１ｆに取付けられる。つまり、比較的簡単な作業により、押圧部材１５ｂ，１５ｃ，１５ｄ，１５ｅ，１５ｆがリール１ｂ，１ｃ，１ｄ，１ｅ，１ｆに取付けられる。そのため、リール１ｂ，１ｃ，１ｄ，１ｅ，１ｆに巻回された長尺シートＳの繰り出しの開始前にリール１ｂ，１ｃ，１ｄ，１ｅ，１ｆに巻回された長尺シートＳの最外径部分１４ｂ，１４ｃ，１４ｄ，１４ｅ，１４ｆが緩んでしまうのを、比較的簡単な作業によって抑制することができる。
【００６０】
また、第１の実施形態の長尺シートの繰り出し装置によれば、図８及び図９に示したように、押圧部材１５ｂが、スポンジ層１８ｂ、硬質樹脂層１９ｂ、軟質樹脂層２０ｂの順に配列された３層構造により構成され、上述したように、押圧部材１５ｃ，１５ｄ，１５ｅ，１５ｆが、押圧部材１５ｂと同様に構成されている。そのため、他の構造により構成された押圧部材とは異なり、リール１ｂ，１ｃ，１ｄ，１ｅ，１ｆに巻回された長尺シートＳの繰り出しが開始するまではリール１ｂ，１ｃ，１ｄ，１ｅ，１ｆから外れず、かつ、リール１ｂ，１ｃ，１ｄ，１ｅ，１ｆに巻回された長尺シートＳの繰り出しが開始した以降はリール１ｂ，１ｃ，１ｄ，１ｅ，１ｆから迅速に外れるという要求を満足することができる。
【００６１】
以下、本発明の長尺シートの繰り出し装置の第２の実施形態について説明する。第２の実施形態の長尺シートの繰り出し装置は、後述する点を除き、上述した第１の実施形態の長尺シートの繰り出し装置とほぼ同様に構成されている。そのため、第２の実施形態の長尺シートの繰り出し装置は、第１の実施形態の長尺シートの繰り出し装置とほぼ同様の効果を奏することができる。
【００６２】
図１１は第２の実施形態の押圧部材の側面図である。上述した第１の実施形態の長尺シートの繰り出し装置では、リール１ｂ（図３参照）に巻回された長尺シートＳをリールの中心軸線側に押圧するために、押圧部材１５ｂが用いられているが、第２の実施形態の長尺シートの繰り出し装置では、押圧部材１５ｂの代わりに、図１１に示す押圧部材１１５ｂが用いられる。
【００６３】
図１１において、１１８ｂは押圧部材１１５ｂの一部を構成するスポンジ層、１１９ｂは押圧部材１１５ｂの一部を構成する樹脂層、１２０ｂは押圧部材１１５ｂの一部を構成するスポンジ層である。図１１に示すように、第２の実施形態の長尺シートの繰り出し装置では、押圧部材１１５ｂが、そのＵ字形状の外側からスポンジ層１１８ｂ、樹脂層１１９ｂ、スポンジ層１２０ｂの順に配列された３層構造により構成されている。詳細には、図示しないが、リール１ｃ（図３参照）に巻回された長尺シートＳをリールの中心軸線側に押圧するための押圧部材、リール１ｄ（図３参照）に巻回された長尺シートＳをリールの中心軸線側に押圧するための押圧部材、リール１ｅ（図３参照）に巻回された長尺シートＳをリールの中心軸線側に押圧するための押圧部材、およびリール１ｆ（図３参照）に巻回された長尺シートＳをリールの中心軸線側に押圧するための押圧部材も、図１１に示した押圧部材１１５ｂと同様に、そのＵ字形状の外側からスポンジ層、樹脂層、スポンジ層の順に配列された３層構造により構成されている。
【００６４】
リールに巻回された長尺シートをリールの中心軸線側に押圧するための押圧部材として、図８及び図９に示したようなＵ字形状の外側からスポンジ層、硬質樹脂層、軟質樹脂層の順に配列された３層構造により構成されている押圧部材が用いられるか、あるいは、図１１に示したようなＵ字形状の外側からスポンジ層、樹脂層、スポンジ層の順に配列された３層構造により構成されている押圧部材が用いられるかは、例えば長尺シートの材質に基づいて判断される。つまり、長尺シートとの相性が良い押圧部材が用いられる。すなわち、リールに巻回された長尺シートの繰り出しが開始するまではリールから外れず、かつ、リールに巻回された長尺シートの繰り出しが開始した以降はリールから迅速に外れるという要求を、より高いレベルで満足する押圧部材が用いられる。
【００６５】
上述した第１および第２の実施形態の長尺シートの繰り出し装置では、図３に示したようにリール群が６段のリール１ａ，１ｂ，１ｃ，１ｄ，１ｅ，１ｆにより構成されているが、第３の実施形態の長尺シートの繰り出し装置では、２段以上の任意の段数のリールによってリール群を構成することも可能である。つまり、本発明は、２段以上の任意の段数のリールによってリール群が構成された長尺シートの繰り出し装置およびそれに用いられる押圧部材に対して適用可能である。
【００６６】
また、上述した第１および第２の実施形態の長尺シートの繰り出し装置では、図３に示したように６段のリール１ａ，１ｂ，１ｃ，１ｄ，１ｅ，１ｆのすべてに長尺シートＳが巻回されているが、第４の実施形態の長尺シートの繰り出し装置では、例えば６段のうちの幾つかのリールに長尺シートを巻回しないことも可能である。つまり、例えば、リール１ｂ（図３参照）には長尺シートを巻回せず、リール１ａに巻回された長尺シートを繰り出すのに続いて、リール１ｃに巻回された長尺シートを繰り出すことも可能である。すなわち、本発明は、例えば３段以上のリールのうちの幾つかのリールに長尺シートが巻回されていない長尺シートの繰り出し装置およびそれに用いられる押圧部材に対しても適用可能である。
【００６７】
また、上述した第１および第２の実施形態の長尺シートの繰り出し装置では、図３に示したようにリール１ｂ，１ｃ，１ｄ，１ｅ，１ｆのそれぞれに押圧部材１５ｂ，１５ｃ，１５ｄ，１５ｅ，１５ｆが取付けられているが、第５の実施形態の長尺シートの繰り出し装置では、例えばリール１ｂ，１ｃ，１ｄ，１ｅ，１ｆのうちの１個にのみ押圧部材を取付けることも可能である。つまり、本発明は、例えば押圧部材が取付けられているリールの他に、押圧部材が取付けられていないリールを有する長尺シートの繰り出し装置およびそれに用いられる押圧部材に対しても適用可能である。
【００６８】
第６の実施形態の長尺シートの繰り出し装置では、上述した第１から第５の実施形態の長尺シートの繰り出し装置を適宜組み合わせることも可能である。
【００６９】
【発明の効果】
請求項１に記載の発明によれば、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのを抑制することができる。それゆえ、第２リールに巻回されたシートの最外径部分が緩むのに伴って、第２リールから逸脱したり、フランジなどと擦れたりしてしまうのを抑制することができる。
【００７０】
請求項２に記載の発明によれば、第２リールに巻回されたシートの繰り出しが開始するまでは、第２リールに巻回されたシートの最外径部分が緩むのを抑制しつつ、第２リールに巻回されたシートの繰り出しが開始した以降は、第２リールに巻回されたシートの繰り出しが押圧部材によって妨げられるのを回避することができる。
【００７１】
請求項３に記載の発明によれば、第２リールに巻回されたシートの繰り出しの開始前に第２リールに巻回されたシートの最外径部分が緩んでしまうのを、比較的安価な手段によって抑制することができる。
【００７２】
請求項４に記載の発明によれば、第２リールに巻回されたシートの繰り出しの開始前に第２リールに巻回されたシートの最外径部分が緩んでしまうのを、比較的簡単な作業によって抑制することができる。
【００７３】
請求項５及び６に記載の発明によれば、他の構造により構成された押圧部材とは異なり、第２リールに巻回されたシートの繰り出しが開始するまでは第２リールから外れず、かつ、第２リールに巻回されたシートの繰り出しが開始した以降は第２リールから迅速に外れるという要求を満足することができる。
【００７４】
請求項７に記載の発明によれば、第１リールに巻回されたシートの繰り出しが終了してから第２リールに巻回されたシートの繰り出しが開始するまでの間、つまり、フランジの外周部を乗り越えて互いに接続されているシートが繰り出されている時に、第２リールに巻回されたシートの最外径部分が緩むのを抑制することができる。それゆえ、第２リールに巻回されたシートの最外径部分が緩むのに伴って、第２リールから逸脱したり、フランジなどと擦れたりしてしまうのを抑制することができる。
【００７５】
請求項８に記載の発明によれば、第２リールに巻回されたシートの繰り出しが開始するまでは、第２リールに巻回されたシートの最外径部分が緩むのを抑制しつつ、第２リールに巻回されたシートの繰り出しが開始した以降は、第２リールに巻回されたシートの繰り出しが妨げられるのを回避することができる。
【００７６】
請求項９に記載の発明によれば、第２リールに巻回されたシートの繰り出しの開始前に第２リールに巻回されたシートの最外径部分が緩んでしまうのを、比較的安価な手段によって抑制することができる。
【００７７】
請求項１０に記載の発明によれば、第２リールに巻回されたシートの繰り出しの開始前に第２リールに巻回されたシートの最外径部分が緩んでしまうのを、比較的簡単な作業によって抑制することができる。
【００７８】
請求項１１及び１２に記載の発明によれば、他の構造により構成された押圧部材とは異なり、第２リールに巻回されたシートの繰り出しが開始するまでは第２リールから外れず、かつ、第２リールに巻回されたシートの繰り出しが開始した以降は第２リールから迅速に外れるという要求を満足することができる。
【図面の簡単な説明】
【図１】本発明の長尺シートの繰り出し装置を適用した第１の実施形態の概略構成図である。
【図２】図１に示したリール群を構成する複数のリールのうちの１個を示した斜視図である。
【図３】図１に示したリール群の斜視図である。
【図４】図３に示したリール群の上視図である。
【図５】図３に示したリール１ｂの縦断面図である。
【図６】図３に示したリール群を図４及び図５に示したＡ−Ａ線で切断した横断面図である。
【図７】図３に示したリール群を図５に示したＢ−Ｂ線で切断した横断面図である。
【図８】図３、図５及び図７に示した押圧部材１５ｂの斜視図である。
【図９】図８に示した押圧部材１５ｂの側面図である。
【図１０】リール１ｂに巻回された長尺シートＳが繰り出され始める時におけるリール１ｂの上視図である。
【図１１】第２の実施形態の押圧部材の側面図である。
【符号の説明】
Ｓ  長尺シート
１ａ，１ｂ，１ｃ，１ｄ，１ｅ，１ｆ  リール
１２ａ，１２ｂ，１２ｃ，１２ｄ，１２ｅ，１２ｆ  フランジ
１３ａ，１３ｂ，１３ｃ，１３ｄ，１３ｅ，１３ｆ  シートの最内径部分
１４ａ，１４ｂ，１４ｃ，１４ｄ，１４ｅ，１４ｆ  シートの最外径部分
１５ａ，１５ｂ，１５ｃ，１５ｄ，１５ｅ，１５ｆ  押圧部材
【図１】
2004307083.tif 000003
【図２】
2004307083.tif 000004
【図３】
2004307083.tif 000005
【図４】
2004307083.tif 000006
【図５】
2004307083.tif 000007
【図６】
2004307083.tif 000008
【図７】
2004307083.tif 000009
【図８】
2004307083.tif 000010
【図９】
2004307083.tif 000011
【図１０】
2004307083.tif 000012
【図１１】
2004307083.tif 000013